(57)【要約】【課題】電源コードが傷んでしまうことを防止できる支持装置を備えた電気掃除機システムを提供する。【解決手段】電気掃除機システムは、電動送風機を有する電気掃除機と、自立可能に形成され、電気掃除機が着脱可能である支持装置１００と、を備える。支持装置１００は、床面Ｂに設置される土台部１０１と、土台部１０１に接続される電源コード１０４と、を備える。土台部１０１は、水平方向寸法が最大となる部分の水平方向端部１０１ｄから底面に向けて滑らかに連なる側面１０１ｂを有する。電源コード１０４は、水平方向端部１０１ｄを通る仮想鉛直面Ａと、側面１０１ｂと、床面Ｂと、によって囲われた空間に収納可能である。【選択図】図８
2019141395.tif 000002
【特許請求の範囲】
【請求項１】
電動送風機を有する電気掃除機と、
自立可能に形成され、前記電気掃除機が着脱可能である支持装置と、
を備え、
前記支持装置は、
床面に設置される土台部と、
前記土台部に接続される電源コードと、
を備え、
前記土台部は、当該土台部の水平方向寸法が最大となる部分の水平方向端部から当該土台部の底面に向けて滑らかに連なる側面を有し、
前記電源コードは、前記水平方向端部を通る仮想鉛直面と、前記側面と、前記床面と、によって囲われた空間に収納可能である電気掃除機システム。
【請求項２】
前記電気掃除機は、水平方向に沿った第一方向に動かすことで、前記支持装置に着脱され、
前記土台部の前記側面には、前記電源コードが接続される電源コード接続部が設けられ、
前記土台部は、平面視において円形状であり、
前記電源コード接続部は、平面視における土台部の接線のうち前記第一方向に平行な接線を含む仮想鉛直面である第１仮想壁面と、平面視における土台部の接線のうち前記第一方向に垂直な接線を含む仮想鉛直面である第２仮想壁面と、前記土台部の前記側面と、に囲われた範囲に配置されている請求項１に記載の電気掃除機システム。
【発明の詳細な説明】
【技術分野】
【０００１】
この発明は、電気掃除機システムに関するものである。
【背景技術】
【０００２】
特許文献１に、電気掃除機を支持する支持装置として、収納台が記載されている。この収納台は、当該収納台に取り付けられた電気掃除機を充電する機能を有している。収納台の土台部分には、電力を供給するための電源コードが接続される。
【先行技術文献】
【特許文献】
【０００３】
【特許文献１】特開２０１６−１５２８７０号公報
【発明の概要】
【発明が解決しようとする課題】
【０００４】
特許文献１に記載された収納台が壁際に置かれた場合、電源コードが収納台の土台部分と壁とによって挟まれてしまうことがある。電源コードは、収納台と壁とに挟まれることによって傷んでしまう。
【０００５】
本発明は、上記のような課題を解決するためになされたものである。本発明の目的は、電源コードが傷んでしまうことを防止できる支持装置を備えた電気掃除機システムを提供することである。
【課題を解決するための手段】
【０００６】
本発明に係る電気掃除機システムは、電動送風機を有する電気掃除機と、自立可能に形成され、電気掃除機が着脱可能である支持装置と、を備える。支持装置は、床面に設置される土台部と、土台部に接続される電源コードと、を備える。土台部は、当該土台部の水平方向寸法が最大となる部分の水平方向端部から当該土台部の底面に向けて滑らかに連なる側面を有する。電源コードは、上記の水平方向端部を通る仮想鉛直面と、土台部の側面と、床面と、によって囲われた空間に収納可能である。
【発明の効果】
【０００７】
本発明によれば、電源コードが傷んでしまうことを防止できる支持装置を備えた電気掃除機システムを提供することができる。
【図面の簡単な説明】
【０００８】
【図１】実施の形態１の電気掃除機システムの斜視図である。
【図２】実施の形態１の電気掃除機システムの側面図である。
【図３】実施の形態１の支持装置の斜視図である。
【図４】実施の形態１の支持装置の右側面図である。
【図５】実施の形態１の支持装置の左側面図である。
【図６】実施の形態１の支持装置の上面図である。
【図７】実施の形態１の支持装置の底面図である。
【図８】実施の形態１の支持装置の土台部を拡大した背面図である。
【図９】実施の形態１の支持装置の土台部を拡大した正面図である。
【図１０】実施の形態１の土台部の拡大背面図である。
【発明を実施するための形態】
【０００９】
以下、添付の図面を参照して、発明を実施するための形態について説明する。各図における同一の符号は、同一の部分または相当する部分を示す。本開示では、重複する説明については、適宜に簡略化または省略する。なお、本発明は、以下の実施の形態によって開示される構成のあらゆる組み合わせを含み得るものであり、趣旨を逸脱しない範囲で種々変形することが可能である。
【００１０】
実施の形態１．
図１は、実施の形態１の電気掃除機システム１の斜視図である。図２は、実施の形態１の電気掃除機システム１の側面図である。図１および図２に示すように、本実施の形態の電気掃除機システム１は、掃除機１０と支持装置１００とによって構成される。
【００１１】
掃除機１０は、電気掃除機の一例であり、コードレスタイプの縦型電気掃除機である。支持装置１００は、自立可能に形成される。支持装置１００は掃除機１０を支持する機器である。支持装置１００は、例えば、居室の床面に置かれる。支持装置１００は、例えば、居室の壁際に置かれる。
【００１２】
掃除機１０は、支持装置１００に対して着脱自在である。図１は、支持装置１００に着脱される掃除機１０の状態を示している。また、図２は、支持装置１００に掃除機１０が取り付けられた状態を示している。図２に示すように、掃除機１０は、支持装置１００に取り付けられることで自立する。
【００１３】
本実施の形態の支持装置１００は、コードレスタイプの掃除機１０を充電する機能を有している。掃除機１０は、使用時に支持装置１００から取り外される。掃除機１０は、不使用時に支持装置１００に取り付けられる。コードレスタイプの掃除機１０は、支持装置１００に取り付けられることで、充電される。
【００１４】
掃除機１０の全体構成について説明する。図１および図２に示すように、掃除機１０は、主な構成要素として、掃除機本体１１、管体１２および掃除具１３を備えている。管体１２は、例えば、直線状に伸びる円筒形状の部材である。管体１２の一方の端部は、掃除具１３に接続される。掃除具１３は、管体１２に対し、着脱可能である。管体１２の他方の端部は、掃除機本体１１に接続される。管体１２は、掃除機本体１１に対し、着脱可能である。
【００１５】
管体１２および掃除具１３の内部には、外部から掃除機本体１１に塵埃を含む空気を流入させるための風路が形成される。なお、本開示では、ごみ、塵、埃、毛髪、繊維等のように、掃除機１０の清掃対象となるものを総称して、「塵埃」と称する。また、本開示では、塵埃を含む空気を、「含塵空気」と称する。そして、塵埃が取り除かれた空気を「清浄空気」と呼ぶ場合がある。
【００１６】
掃除機本体１１は、含塵空気から塵埃を分離する機能を有するものである。また、掃除機本体１１は、分離した塵埃を捕集する機能を有するものである。掃除機本体１１は、把持部１５、本体部１６および集塵部１７を備える。把持部１５は、掃除機１０の使用中に使用者が手で握る部材である。把持部１５は、本体部１６に対して機械的に接続されている。
【００１７】
本体部１６には、図示しない電動送風機および二次電池等が内蔵されている。電動送風機は、掃除機１０が塵埃を吸引するための気流を発生させるものである。二次電池は、電動送風機が駆動するための電力源である。本体部１６に内蔵された二次電池は、掃除機１０が支持装置１００に取り付けられることで、充電される。
【００１８】
集塵部１７は、含塵空気から塵埃を分離して、当該塵埃を捕集する集塵装置の一例である。本実施の形態の集塵部１７は、本体部１６に内蔵された電動送風機が発生させた気流によって掃除機本体１１に吸引された含塵空気を旋回させ、遠心力によって塵埃を分離する。集塵部１７は、サイクロン分離機能を有する。集塵部１７は、本体部１６に着脱可能である。
【００１９】
次に、支持装置１００の全体構成について説明する。本実施の形態の支持装置１００は、図１および図２に示すように、土台部１０１、支柱部１０２および本体支持部１０３を備える。土台部１０１は、支持装置１００の中で最も下方に配置される部分である。土台部１０１は、支持装置１００の土台を形成する。土台部１０１は、床面に設置される。土台部の底面は、床面に対向する。
【００２０】
支柱部１０２は、柱状の部材である。支柱部１０２の下端部は、土台部１０１に固定される。支柱部１０２は、土台部１０１の上面から鉛直上向きに直立するように形成されている。本体支持部１０３は、支柱部１０２の中間部に設けられている。掃除機１０が支持装置１００に取り付けられている状態において、本体支持部１０３は、掃除機本体１１を下方から支持する。また、掃除機１０が支持装置１００に取り付けられる際、掃除具１３は、土台部１０１に支えられる。
【００２１】
掃除機１０の使用者は、把持部１５を把持して、掃除具１３を前後方向に動かす。この前後方向は、水平方向に沿った第一方向の一例である。掃除を終えた使用者は、把持部１５を把持して、掃除具１３を、支持装置１００の土台部１０１に向けて前方へ動かす。これにより、図１に示す状態、すなわち土台部１０１に掃除具１３が接続された状態になる。掃除機１０は、図１に示す状態から掃除機本体１１がさらに支持装置１００側へ押されることで、図２に示す状態、すなわち支持装置１００に取り付けられた状態になる。
【００２２】
また、掃除機１０は、図２に示す状態から後方へ動かされることで、図１に示す状態になる。掃除機１０は、図１に示す状態からさらに後方へ動かされることで、支持装置１００から取り外される。このように、本実施の形態において掃除機１０は、水平方向に沿った第一方向に動かされることで、支持装置１００に着脱される。
【００２３】
上記したように、本実施の形態の電気掃除機システム１において、掃除機１０は、支持装置１００の水平方向一側部分に取り付けられる。ここで、掃除機１０が支持装置１００に取り付けられた状態において、当該支持装置１００に対して当該掃除機１０が配置されている方向を、本実施の形態では支持装置１００の正面方向と定義する。すなわち、掃除機１０は、支持装置１００の正面側に取り付けられる。
【００２４】
また、上記の正面方向の反対方向を、本実施の形態では支持装置１００の背面方向と定義する。支持装置１００の正面方向は、使用者によって掃除具１３が動かされる方向である後方向に該当する。支持装置１００の背面方向は、使用者によって掃除具１３が動かされる方向である前方向に該当する。正面方向および背面方向は、水平方向に沿った第一方向の一例である。
【００２５】
次に、本実施の形態の支持装置１００の構成について、図面を更に参照し、より詳細に説明する。図３は、実施の形態１の支持装置１００の斜視図である。図４は、実施の形態１の支持装置１００の右側面図である。図５は、実施の形態１の支持装置１００の左側面図である。
【００２６】
また、図６は、実施の形態１の支持装置１００の上面図である。図７は、実施の形態１の支持装置１００の底面図である。図６および図７は、平面視における支持装置１００を示している。図６および図７に示すように、本実施の形態において、土台部１０１は、平面視において円形状を呈している。なお、平面視における土台部１０１の形状は、必ずしも円形状を呈していなくてもよい。例えば、平面視における土台部１０１の形状は、多角形状または楕円形状等であってもよい。
【００２７】
土台部１０１は、スロープ部１０１ａを備えていてもよい。スロープ部１０１ａは、掃除具１３を所定の位置に取り付け易くするために備えられる。スロープ部１０１ａの上面は、傾斜面である。土台部１０１にスロープ部１０１ａが備えられることにより、使用者は、掃除機１０を、持ち上げることなく、容易に支持装置１００へ取り付けられる。
【００２８】
また、本実施の形態の支持装置１００は、電源コード１０４を備える。電源コード１０４は、外部の商用電源等から支持装置１００へ電力を供給するためのものである。一例として、電源コード１０４によって供給された電力は、支持装置１００に取り付けられた掃除機１０の二次電池を充電するために用いられる。なお、支持装置１００は、電源コード１０４によって供給された電力によって、掃除機１０の二次電池の充電以外の動作を行うように構成されていてもよい。支持装置１００は、必ずしも掃除機１０の二次電池を充電する機能を有していなくてもよい。
【００２９】
土台部１０１の側面１０１ｂには、電源コード１０４が接続される電源コード接続部１０１ｃが設けられる。本実施の形態において、電源コード１０４の一側端部は、この電源コード接続部１０１ｃに着脱自在に接続される。なお、電源コード１０４は、例えば、電源コード接続部１０１ｃを介して土台部１０１に固定されていてもよい。換言すると、電源コード１０４は、土台部１０１に対して着脱自在でなくてもよい。
【００３０】
図８は、実施の形態１の支持装置１００の土台部１０１を拡大した背面図である。図９は、実施の形態１の支持装置１００の土台部１０１を拡大した正面図である。図１０は、実施の形態１の土台部１０１の拡大背面図である。図１０は、図８の一部をさらに拡大した図に相当する。なお、図１０においては、電源コード１０４の図示を省略し、仮想的な電源コード１０４を斜線で塗られた領域ＥＣで示している。すなわち、図１０におけるＥＣの上下寸法ｈは、電源コード１０４の上下寸法を意味する。また図１０におけるＥＣの幅ｗは、電源コード１０４の幅を意味する。
【００３１】
本開示において、側面１０１ｂは、土台部１０１の水平方向寸法が最大となる部分の水平方向端部１０１ｄから土台部１０１の底面に向けて滑らかに連なる面を意味する。土台部１０１の側面１０１ｂは、滑らかな面であり、当該側面１０１ｂには段差等が形成されていない。なお、側面１０１ｂは、曲面であってもよいし、平坦面であってもよい。換言すると、例えば、特定の側面視における側面１０１ｂの稜線は、曲線であってもよいし直線であってもよい。
【００３２】
図８から図１０に示すように、本実施の形態の土台部１０１は水平方向端部１０１ｄを通る仮想鉛直面Ａと、側面１０１ｂと、床面Ｂと、によって囲われた空間に電源コード１０４が収納可能に構成される。図８から図１０においては、上記の仮想鉛直面Ａおよび床面Ｂを一点鎖線で示している。上記のように構成されることによって、支持装置１００が壁際に置かれたとしても、電源コード１０４は土台部１０１と壁とによって挟まれてしまうことがない。本実施の形態であれば、電源コード１０４が傷んでしまうことを防止できる支持装置１００を備えた電気掃除機システム１を提供することができる。
【００３３】
また、側面１０１ｂは、滑らかな面である。このため、電源コード１０４が、側面１０１ｂに引っ掛かることがない。これにより、電源コード１０４が傷んでしまうことがより効果的に防止される。
【００３４】
一例として、正面視において土台部１０１の水平方向寸法が最大となる部分の幅を、最大幅Ｗａとする。また、正面視における土台部１０１の底面の水平方向寸法を、底面幅Ｗｂとする。一例として、土台部１０１の底面は、正面視において、土台部１０１の水平方向寸法が最小となる部分である。換言すると、底面幅Ｗｂは、正面視において、土台部１０１の水平方向寸法が詳細となる部分の幅である。正面視は、特定の側面視の一例である。なお、特定の側面視において、土台部１０１の水平方向寸法が最小となる部分は、本例のように土台部１０１の底面でなくてもよい。
【００３５】
一例として、図１０に示すように、土台部１０１の水平方向寸法が最大となる部分の水平方向端部１０１ｄは、床面Bから高さＨだけ上方に位置している。図１０におけるＥＣの上下寸法ｈ、すなわち、電源コード１０４の上下寸法は、一例として、この高さＨよりも小さく設定される。換言すると、高さＨは、電源コード１０４の上下寸法よりも大きく設定される。また、図１０におけるＥＣの幅ｗ、すなわち、電源コード１０４の幅は、土台部１０１の底面の水平方向端部１０１ｅから上記の水平方向端部１０１ｄまでの水平方向寸法Ｗよりも小さく設定される。この水平方向寸法Ｗは、正面視において土台部１０１が左右対称である場合、最大幅Ｗａと底面幅Ｗｂとの差の半分として算出される。土台部１０１および電源コード１０４が具体的に上記のように構成されることで、電源コード１０４は、仮想鉛直面Ａと、側面１０１ｂと、床面Ｂと、によって囲われた空間に収納可能である。
【００３６】
なお、図１０における領域ＥＣは長方形を呈しているが、電源コード１０４の断面形状は、必ずしも長方形でなくてもよい。電源コード１０４の断面形状は、例えば、円形状または楕円形状であってもよい。
【００３７】
また、電源コード接続部１０１ｃは、図６および図７に示すように、第１仮想壁面Ｗ１と第２仮想壁面Ｗ２と土台部１０１の側面１０１ｂとに囲われた範囲に配置されることが好ましい。図６および図７において、第１仮想壁面Ｗ１および第２仮想壁面Ｗ２は、一点鎖線で示している。
【００３８】
本実施の形態における第１仮想壁面Ｗ１は、平面視における土台部１０１の接線のうち前後方向に平行な接線を含む仮想鉛直面である。第１仮想壁面Ｗ１は、支持装置１００が、当該支持装置１００の背面および側面が居室の壁に向くように居室の隅に置かれた際に、当該支持装置１００の側面に近接する壁面を意味する。
【００３９】
また、本実施の形態における第２仮想壁面Ｗ２は、平面視における土台部１０１の接線のうち左右方向に平行な接線を含む仮想鉛直面である。左右方向は、前後方向に垂直な方向である。第２仮想壁面Ｗ２は、支持装置１００が、当該支持装置１００の背面および側面が居室の壁に向くように居室の隅に置かれた際に、当該支持装置１００の背面に近接する壁面を意味する。
【００４０】
電源コード接続部１０１ｃが第１仮想壁面Ｗ１と第２仮想壁面Ｗ２と土台部１０１の側面１０１ｂとに囲われた範囲に配置されることで、支持装置１００が居室の隅に置かれた場合において、当該電源コード接続部１０１ｃは居室の隅に向く。上記したように、電源コード１０４の一側端部は、電源コード接続部１０１ｃに接続される。電源コード１０４の一側端部は、電源コード接続部１０１ｃから、図６および図７に示すように、居室の隅に向けて突出する。電源コード１０４の一側端部は、居室の隅に収納される。本実施の形態であれば、居室の隅に有効に収納される支持装置１００が得られる。また、電源コード１０４の一側端部が壁面に向けて突出せずに居室の隅収納されることで、電源コード１０４が傷むことがさらに防止される。
【００４１】
なお、本実施の形態において電源コード接続部１０１ｃは、図６および図７に示すように、土台部１０１の背面側に配置されているが、電源コード接続部１０１ｃは、土台部１０１の正面側に配置されていてもよい。また、電源コード接続部１０１ｃは、支持装置１００の背面が居室の隅に向けられた際に電源コード１０４の一側端部がこの隅に収納されるように設けられてもよい。電源コード接続部１０１ｃは、例えば、支持装置１００の中心を基準として、掃除機１０の真逆に設けられてもよい。
【符号の説明】
【００４２】
１  電気掃除機システム、  １０  掃除機、  １１  掃除機本体、  １２  管体、  １３  掃除具、  １５  把持部、  １６  本体部、  １７  集塵部、  １００  支持装置、  １０１  土台部、  １０１ａ  スロープ部、  １０１ｂ  側面、  １０１ｃ  電源コード接続部、  １０１ｄ  水平方向端部、  １０２  支柱部、  １０３  本体支持部、  １０４  電源コード
【図１】
2019141395.tif 000003
【図２】
2019141395.tif 000004
【図３】
2019141395.tif 000005
【図４】
2019141395.tif 000006
【図５】
2019141395.tif 000007
【図６】
2019141395.tif 000008
【図７】
2019141395.tif 000009
【図８】
2019141395.tif 000010
【図９】
2019141395.tif 000011
【図１０】
2019141395.tif 000012